(57)【特許請求の範囲】
【請求項１】
工作機械のベッド（１）に取付けた永久磁石よりなる固定子（４）と、該固定子（４）に対向して取付けられた電機子（６）を有するテーブル（５）とを備え、該テーブル（５）を直線方向に駆動する工作機械のテーブル送り装置において、
前記電機子（６）は、前記テーブル（５）の下面に、長方形に打ち抜き両側に巻線収納溝（７ａ）を、中央に係合部である凸部（７ｂ）、凹部（７ｃ）を有する電機子鉄板を積層した電機子鉄心（７）と、前記電機子鉄心（７）の巻線収納溝（７ａ）に整列巻きして収納した巻線（８）とを備えると共に、前記巻線（８）を巻装した電機子鉄心（７）の係合部（７ｂ）（７ｃ）を係合して構成しており、
前記巻線（８）の外周に充填した絶縁樹脂（１３）および前記電機子鉄心（７）の外周に非磁性体の覆板（１０ａ）が取付けられ、
前記絶縁樹脂（１３）および前記電機子鉄心（７）の外周と前記覆板（１０ａ）との間に冷媒を充填した冷媒導管（１０）を設けてあることを特徴とする工作機械のテーブル送り装置。
【請求項２】
工作機械のベッド（１）に取付けた永久磁石よりなる固定子（４）と、該固定子（４）に対向して取付けられた電機子（６）を有するテーブル（５）とを備え、該テーブル（５）を直線方向に駆動する工作機械のテーブル送り装置において、
前記電機子（６）は、前記テーブル（５）の下面に、長方形に打ち抜き両側に巻線収納溝（７ａ）を、中央に係合部である凸部（７ｂ）、凹部（７ｃ）を有する電機子鉄板を積層した電機子鉄心（７）と、前記電機子鉄心（７）の巻線収納溝（７ａ）に整列巻きして収納した巻線（８）とを備えると共に、前記巻線（８）を巻装した電機子鉄心（７）の係合部（７ｂ）（７ｃ）を係合して構成しており、
前記電機子鉄心（７）および前記電機子鉄心（７）に巻装した巻線（８）を囲うキャン（１９）が設けられ、
このキャン（１９）の外周に非磁性体の覆板（２１ａ）が取付けられ、この覆板（２１ａ）をキャン（１９）に接合して覆板（２１ａ）とキャン（１９）とにより形成した複数の冷媒導管（２１）を設けてあることを特徴とする工作機械のテーブル送り装置。
【０００１】
【発明の詳細な説明】
【発明の属する技術分野】
本発明は、工作機械のテーブルの送り装置に関するものである。
【０００２】
【従来の技術】
従来の工作機械のテーブルの送り装置は、図７に示すように構成している。
図において、２０はＵ字状に構成した工作機械のベッドで、このベッド２０の脚部２１の先端にリニアガイド２２を設けている。２３はテーブルで、このテーブル２３の側部を前記リニアガイド２２に載置してテーブル２３を軸線方向に移動できるようにしている。前記テーブル２３の下面には前記ベッド２０の脚部２１の垂直な垂直面２３ａを設けている。２４は前記ベッド２０の脚部２１の垂直面に取付けた固定子、２５は前記ベッド２０の脚部２１の固定子２４に対向するテーブル２３の垂下面２３ａに取付けた電機子である。
つぎに、テーブル送り装置の動作について説明をする。
前記電機子２５を励磁すると、テーブル２３に取り付けた電機子２５とベッド２０に取付けた固定子２４との電磁作用によりベッド２０のリニアガイド２２に支持されたテーブル２３を軸線方向に移動し、このテーブル２３取付けた被加工物を移動させて図示しない工作機械の刃物で被加工物を切削するものである。
【発明が解決しようとする課題】
ところが、従来の工作機械のテーブルの送り装置は、電機子２５からの損失熱がテーブル２３に伝導し、テーブル２３が熱により膨張し、テーブル２３上面の平面度が阻害される。このため、工作機械で加工された被加工物の加工面の精度が悪くなっていた。
本発明は、電機子からの損失熱を冷却してテーブルが熱により膨張しないようにして被加工物の加工精度を上げることを目的とする。
【０００４】
【課題を解決するための手段】
上記問題点を解決するために、本発明は、工作機械のベッドに取付けた永久磁石よりなる固定子と、該固定子に対向して取付けられた電機子を有するテーブルとを備え、該テーブルを直線方向に駆動する工作機械のテーブル送り装置において、前記電機子は、前記テーブルの下面に、長方形に打ち抜き両側に巻線収納溝を、中央に係合部である凸部、凹部を有する電機子鉄板を積層した電機子鉄心と、前記電機子鉄心の巻線収納溝に整列巻きして収納した巻線とを備えると共に、前記巻線を巻装した電機子鉄心の係合部を係合して構成しており、前記巻線の外周に充填した絶縁樹脂および前記電機子鉄心の外周に非磁性体の覆板が取付けられ、前記絶縁樹脂および前記電機子鉄心の外周と前期覆板との間に冷媒を充填した冷媒導管を設けてある。
また、本発明は、工作機械のベッドに取付けた永久磁石よりなる固定子と、該固定子に対向して取付けられた電機子を有するテーブルとを備え、該テーブルを直線方向に駆動する工作機械のテーブル送り装置において、前記電機子は、前記テーブルの下面に、長方形に打ち抜き両側に巻線収納溝を、中央に係合部である凸部、凹部を有する電機子鉄板を積層した電機子鉄心と、前記電機子鉄心の巻線収納溝に整列巻きして収納した巻線とを備えると共に、前記巻線を巻装した電機子鉄心の係合部を係合して構成しており、前記電機子鉄心および電機子鉄心に巻装した巻線を囲うキャンが設けられ、このキャンの外周に非磁性体の覆板が取付けられ、この覆板をキャンに接合して覆板とキャンとにより形成した複数の冷媒導管を設けてある。
【０００５】
【発明の実施の形態】
以下、本発明を図に示す実施例に基づいて説明する。
図１は本発明の第１の実施例を示す工作機械の概略構成図である。図２は本発明の第１実施例を示す工作機械の要部の平面図である。図３は図２のＡ−Ａ線に沿う断面図てある。
図において、１はＵ字状に構成した工作機械のベッドで、このベッド１の脚部２の先端にリニアガイド３を取付けている。前記ベッド１の脚部２の垂直な垂直面に固定子４を取付けている。前記固定子４は図２で示すようにベッド１の脚部２の内側に永久磁石を取付けて構成している。前記永久磁石は対向するものとは異極に配置し、隣のものとは異極になるように配置している。５は被加工物を載置して往復動するテーブルである。前記テーブル５の下面に前記ベッド１の垂直面２ａに取付けた固定子４に対向する電機子６を取付けている。前記電機子６は、図２に示すように薄鉄板より長方形の長手方向の両側に巻線収納溝７ａを有し、長方形の中央部の一方側側面に凸部７ｂを他方側側面に凹部７ｃを有する電機子鉄板を打ち抜き、この電機子鉄板を積層して電機子鉄心７を構成している。前記電機子鉄心７の巻線収納溝７ａに電線を整列巻きした巻線８を収納している。このように構成した電機子鉄心７を、電機子鉄心７に巻線８を巻装した歯部を、前記ベッド１の固定子４に対向させて並べ、電機子鉄心７の凸部７ｂを電機子鉄心７の凹部７ｃに嵌め込んで電機子６を構成する。９は側板で、前記電機子６の端部に固定している。１０は前記電機子６の外周に空隙を介して非磁性材の覆板１０ａで覆い、前記電機子６と覆板１０ａとの間に形成した冷媒導管で、この冷媒導管１０内に冷媒が充填してある。１１、１２は前記側板９に設けた冷媒注入口および冷媒排出口で、冷媒注入口１１から注入した冷媒を電機子鉄心７の外周と覆板１０ａとの間に形成した冷媒導管１０内を流通して冷媒排出口１２より外部に排出するように構成している。１３は巻線８の外周に充填した絶縁樹脂である。１４は押さえ板である。
つぎに、工作機械のテーブル送り装置の動作について説明をする。
電機子６の巻線８に通電すると、固定子４の永久磁石の磁束との電磁作用によりテーブル５を軸線方向に作動する。前記巻線８に流れる電流により巻線８に損失熱が発生する。この損失熱は、側板９に設けた冷媒注入口１１より注入した冷媒がテーブル５の移動に伴って揺動されながら冷媒導管１０内を流通して電機子鉄心７を冷却する。したがって、電機子鉄心７からの損失熱がテーブル５に伝導しない。
図４は本発明の第２の実施例を示す図２のＡ−Ａ線に沿う断面図で、電機子６の外側に断面が細長状の筒体よりなる冷媒導管１５を設け、端部を前記側板９冷媒注入口１１および冷媒排出口１２に接続する。したがって、この冷媒導管１５内を流れる冷媒がテーブル５の移動に伴って揺動されながら流通して電機子鉄心７を冷却する。したがって、電機子鉄心７からの損失熱がテーブル５に伝導しない。
図５は本発明の第３の実施例を示す工作機械の概略構成図である。図６は要部を拡大し要部側断面図である。
１６は永久磁石よりなる固定子で、ベッド１の底面に配置している。１７は巻線１８を有する電機子で、前記電機子１７の歯部を前記固定子１６に対向するようにテーブル５に取付けている。１９は非磁性材よりなるキャンで、前記巻線１８の外周に絶縁樹脂２０を充填し、その絶縁樹脂２０を囲ってテーブル５の固定部に取付けている。２１は冷媒導管で、前記キャン１９に空隙を介して覆板２１ａを取付け、前記覆板２１ａの適宜の箇所をスポットウエルドで前記キャン１９に接合して構成し、この冷媒導管２１内を複数の通路に区切り、冷媒を装填している。したがって、複数に区切られた冷媒導管２１内を冷媒が流通して電機子１７を冷却し、テーブル５に損失熱を伝導しない。
【０００６】
【発明の効果】
以上述べたように、本発明によればテーブル５に設けた電機子６を冷媒がテーブルの移動によって動かされながら流通して冷却するので、テーブルへの熱伝導がなくテーブルの熱歪みが生じることがなく、加工精度を損なうことがない。
【図面の簡単な説明】
【図１】本発明の第１の実施例を示す工作機械の概略構成図である。
【図２】本発明の第１の実施例を示す工作機械の要部の平面図である。
【図３】図２のＡ−Ａ線に沿う断面図である。
【図４】本発明の第２の実施例を示す図２のＡ−Ａ線に沿う断面である。
【図５】本発明の第３の実施例を示す工作機械の概略構成図である。
【図６】本発明の第３の実施例を示す工作機械の要部側断面図である。
【図７】従来の工作機械の概略構成図である。
【符号の説明】
１  ベッド、  ２  脚部、  ３  リニアガイド、  ４  固定子、
５テーブル、  ６  電機子、  ７  電機子鉄心、  ７ａ  巻線収納溝、
７ｂ  凸部、  ７ｃ  凹部、  ８巻線、  ９  側板、  １０  冷媒導管、
１０ａ  覆板、  １１  冷媒注入口、  １２  冷媒排出口、
１３  絶縁樹脂、  １４  押さえ板、  １５  冷媒導管、  １６  固定子、
１７  電機子、  １８  巻線、  １９  キャン、  ２０  絶縁樹脂、
２１  冷媒導管、  ２１ａ  覆板
【図１】
0003539140.tif 000002
【図２】
0003539140.tif 000003
【図３】
0003539140.tif 000004
【図４】
0003539140.tif 000005
【図５】
0003539140.tif 000006
【図６】
0003539140.tif 000007
【図７】
0003539140.tif 000008